(57)【要約】【課題】使用環境に応じて細かい液晶表示画面の輝度を調整することができる輝度調整装置及び輝度調整プログラムを提供する。【解決手段】本発明の輝度調整装置は、バックライトから光照射を受けて画像を液晶表示する液晶表示手段と、少なくとも周囲の光量に応じて撮影設定情報を変えて撮影する撮影手段と、液晶表示手段の画面の明るさを調整する複数の調整値と、これら各調整値に対するバックライトの輝度値との対応関係を示す輝度パターンを複数保持する輝度パターン保持手段と、撮影手段からの撮影設定情報に基づいて、予め設定された輝度パターン設定テーブルを参照して、輝度パターンを選択する輝度パターン選択手段と、輝度値パターン選択手段により選択された輝度値パターンを用いて、液晶表示手段のバックライトの輝度値を調整する輝度調整手段とを備えることを特徴とする。【選択図】      図１
2008026720.tif 000002
【特許請求の範囲】
【請求項１】
バックライトから光照射を受けて画像を液晶表示する液晶表示手段と、
少なくとも周囲の光量に応じて撮影設定情報を変えて撮影する撮影手段と、
上記液晶表示手段の画面の明るさを調整する複数の調整値と、これら各調整値に対する上記バックライトの輝度値との対応関係を示す輝度パターンを複数保持する輝度パターン保持手段と、
上記撮影手段からの上記撮影設定情報に基づいて、予め設定された輝度パターン設定テーブルを参照して、上記輝度パターンを選択する輝度パターン選択手段と、
上記輝度値パターン選択手段により選択された輝度値パターンを用いて、上記液晶表示手段のバックライトの輝度値を調整する輝度調整手段と
を備えることを特徴とする輝度調整装置。
【請求項２】
バックライトから光照射を受けて画像を液晶表示する液晶表示手段と、
少なくとも周囲の光量に応じて撮影設定情報を変えて撮影する撮影手段と
を備える装置において、
コンピュータに、
上記液晶表示手段の画面の明るさを調整する複数の調整値と、これら各調整値に対する上記バックライトの輝度値との対応関係を示す輝度パターンを複数保持する輝度パターン保持手段、
上記撮影手段からの上記撮影設定情報に基づいて、予め設定された輝度パターン設定テーブルを参照して、上記輝度パターンを選択する輝度パターン選択手段、
上記輝度値パターン選択手段により選択された輝度値パターンを用いて、上記液晶表示手段のバックライトの輝度値を調整する輝度調整手段
として機能させるための輝度調整プログラム。
【発明の詳細な説明】
【技術分野】
【０００１】
本発明は、輝度調整装置及び輝度調整プログラムに関し、例えば、液晶表示装置におけるバックライトの輝度を調整する輝度調整装置及び輝度調整プログラムに適用し得る。
【背景技術】
【０００２】
近年、画像情報を表示する液晶表示装置は多く用いられており、例えば、ネットワークを通じてテレビ電話を実現するＩＰ（Internet  Protocol）−ＴＶ電話機にも液晶表示装置が搭載されている。
【０００３】
一般に、液晶表示装置を使用する場合、使用環境の明るさにより液晶表示画面の見えやすさが変わってくる。すなわち、使用環境が明るい場合、ディスプレイの輝度が低いと画面が暗くなるため、ディスプレイの輝度を高くする必要があり、一方使用環境が暗い場合、ディスプレイの輝度が高いと画面が明るくなりすぎるため、ディスプレイの輝度を低くする必要がある。
【０００４】
従来、このような液晶表示画面の輝度を調整する技術として例えば特許文献１に開示されるものがある。特許文献１には、液晶パネルに光を照射するバックライトの輝度を周囲の明るさに応じて調整する技術が開示されており、その内容は、周囲の明るさを検出するセンサからのセンサ入力信号に対する表示輝度の関係を予め設定し、センサ入力信号に基づいて表示輝度を調整するというものである。
【０００５】
また、例えばＩＰ−ＴＶ電話機等のように頻繁な移動を伴わないものの場合、一般的に利用者操作により液晶表示画面の明るさを調整することができるが、例えば従来のｉｐ−−ＴＶ電話機では４段階や８段階の輝度調整値（諧調値）が設けられている。
【０００６】
図２は、例えば従来のＩＰ−ＴＶ電話機の液晶表示装置についての、使用環境の明るさに対して液晶表示画面が見やすいとされるバックライトの輝度の範囲との関係を示しており、図３は、図２に示す範囲を参考にして、例えば８段階の輝度調整値（諧調値）に対するバックライトの輝度の設定値の関係を示す。
【０００７】
例えば、図２及び図３に対応する従来のＩＰ−ＴＶ電話機においては、利用者は、その使用環境に応じて８段階の輝度調節をもって液晶表示画面の輝度を調整することができることとなる。
【０００８】
【特許文献１】特開２００１−５１６６７号公報
【発明の開示】
【発明が解決しようとする課題】
【０００９】
上述したように、液晶表示画面の見えやすさは使用環境の明るさにより変わり得るものであり、利用者により液晶パネルへのバックライトの輝度を調整することにより、液晶表示画面の明るさを調整することができる。
【００１０】
しかしながら、利用者が調整する輝度調整値とバックライトの輝度とは、図３に示すように一定の対応関係をなして設定されているものであるため、使用環境に応じた細かい輝度設定ができないという問題が生じ得る。
【００１１】
そのため、使用環境に応じて液晶表示画面の輝度を調整することができる輝度調整装置及び輝度調整プログラムが求められている。
【課題を解決するための手段】
【００１２】
かかる課題を解決するために、第１の本発明の輝度調整装置は、（１）バックライトから光照射を受けて画像を液晶表示する液晶表示手段と、（２）少なくとも周囲の光量に応じて撮影設定情報を変えて撮影する撮影手段と、（３）液晶表示手段の画面の明るさを調整する複数の調整値と、これら各調整値に対するバックライトの輝度値との対応関係を示す輝度パターンを複数保持する輝度パターン保持手段と、（４）撮影手段からの撮影設定情報に基づいて、予め設定された輝度パターン設定テーブルを参照して、輝度パターンを選択する輝度パターン選択手段と、（５）輝度値パターン選択手段により選択された輝度値パターンを用いて、液晶表示手段のバックライトの輝度値を調整する輝度調整手段とを備えることを特徴とする。
【００１３】
第２の本発明の輝度調整プログラムは、バックライトから光照射を受けて画像を液晶表示する液晶表示手段と、少なくとも周囲の光量に応じて撮影設定情報を変えて撮影する撮影手段とを備える装置において、コンピュータに、（１）液晶表示手段の画面の明るさを調整する複数の調整値と、これら各調整値に対するバックライトの輝度値との対応関係を示す輝度パターンを複数保持する輝度パターン保持手段、（２）撮影手段からの撮影設定情報に基づいて、予め設定された輝度パターン設定テーブルを参照して、輝度パターンを選択する輝度パターン選択手段、（３）輝度値パターン選択手段により選択された輝度値パターンを用いて、液晶表示手段のバックライトの輝度値を調整する輝度調整手段として機能させるための輝度調整プログラムである。
【発明の効果】
【００１４】
本発明によれば、撮影手段からの撮影設定情報に基づいて選択した輝度パターンに従って、液晶表示手段のバックライトの輝度値を調整することにより、使用環境に応じた細かい液晶表示画面の輝度を調整することができる。
【発明を実施するための最良の形態】
【００１５】
（Ａ）第１の実施形態
次に、本発明の輝度調整装置及び輝度調整プログラムの第１の実施形態を図面を参照しながら詳細に説明する。第１の実施形態は、本発明の輝度調整装置及び輝度調整プログラムを、例えばＩＰ−ＴＶ電話機に搭載される液晶表示装置に適用した場合を説明する。
【００１６】
（Ａ−１）第１の実施形態の構成
図１は、第１の実施形態のＩＰ−ＴＶ電話機が搭載する液晶表示装置周辺の主なハードウェア構成を示す構成図である。
【００１７】
図１において、第１の実施形態のＩＰ−ＴＶ電話機は、ＣＰＵ１、ワークメモリ２、ＲＯＭ等３、液晶表示制御手段４、液晶表示手段５、デジタル−アナログ制御手段６、インバータ７、カメラ制御手段８、カメラモジュール９、シリアルバスインターフェース１０、などを有して構成される。
【００１８】
ＣＰＵ１は、ＩＰ−ＴＶ電話機の機能を司るものであり、メモリバスＭＢを通じてワークメモリ２やＲＯＭ等３と接続し、ＰＣＩバスなどを通じて液晶表示制御手段４やカメラ制御手段８やシリアルバスインターフェース１０に接続している。また、ＣＰＵ１は、通信系バスを通じて図示しない通信手段と接続しており、通信相手の端末との間で音声信号や画像信号を送信又は受信するものである。
【００１９】
ワークメモリ２は、ＣＰＵ１による処理プログラムの実行に使用されるワーキングエリアであり、例えばＳＤＲＡＭ等が該当し、またＲＯＭ等３は、処理プログラムや処理に必要な固定データを記憶するものであり、例えばＲＯＭやフラッシュメモリ（ＦＬＡＳＨ）等が該当する。また、ＲＯＭ等３には、第１の実施形態の輝度調整プログラム３ａ及び輝度パターンテーブル３ｂが格納されている。
【００２０】
そして、例えば、ＣＰＵ１が、ワーキングメモリ２をワーキングエリアとして、ワークメモリ２やＲＯＭ等３に格納されている固定データや処理に必要なデータを用いて、ＲＯＭ等３に格納されている処理プログラムを実行することにより、ＩＰ−ＴＶ電話機の機能が実現される。
【００２１】
液晶表示制御手段４は、ＣＰＵ１の制御の下、通信相手の端末から受信した画像信号をＣＰＵ１から受け取り、液晶表示手段５に対して画像表示処理を制御するものである。液晶表示制御手段４は、デコーダ（ＤＥＣ）部４１とＬＣＤコントローラ４２を有する。デコーダ（ＤＥＣ）部４１は、ＣＰＵ１から与えられた画像信号を所定の復号処理により復号し、ＬＣＤコントローラ４２に与えるものである。
【００２２】
液晶表示手段５は、液晶表示制御手段４の制御の下で画像を表示するものであり、既存の液晶表示手段を適用することができ、一般に、ディスプレイ駆動回路、液晶パネル、バックライト等を有して構成される。なお、ディスプレイ駆動回路の駆動方式は、特に限定されるものではないが、一般にドットマトリックス方式を適用でき、このドットマトリックス方式として、例えば、スタティック駆動方式や、ダイナミック駆動方式（パッシブマトリックス方式、アクティブマトリックス方式）を適用することができる。
【００２３】
デジタル−アナログコンバータ（ＤＡＣ）６は、シリアルバスインターフェース１０を通じてＣＰＵ１から受け取ったバックライト輝度制御信号（デジタル信号）をアナログ信号に変換してインバータ７に与えるものであり、インバータ７は、ＤＡＣ６からのバックライト輝度制御信号（アナログ直流信号）を交流信号に変換して液晶表示手段５のバックライトに供給するものである。これにより、ＣＰＵ１制御の下でバックライトの輝度を調整することができる。
【００２４】
カメラモジュール９は、撮影した画像を電気信号に変換し、その変換した電気信号（画像データ）をカメラ制御手段８に与えるものである。ここで、カメラモジュール９としては、被写体を撮影する際に、入射する周囲の光量を判断する光量判断機能を備えており、その判断した光量に基づいて撮影能力を制御する撮影能力制御機能を有していれば広く適用することができ、例えばＣＭＯＳカメラやＣＣＤカメラを適用できる。なお、第１の実施形態では、ＣＭＯＳカメラを適用した場合を例に挙げて説明する。
【００２５】
カメラ制御手段８は、ＣＰＵ１制御の下で、カメラモジュール９の動作を制御するものであり、エンコーダ（ＥＮＣ）部８１とカメラコントローラ８２とを有する。カメラコントローラ８２は、カメラモジュール９の動作を制御するものであり、カメラモジュール９からの画像データをエンコーダ部８１に与えるものである。エンコーダ８１は、カメラコントローラ８２からの画像データを所定の符号化処理を施してＣＰＵ１に与えるものである。
【００２６】
シリアルバスインターフェース１０は、シリアスバスのインタフェースである。
【００２７】
（Ａ−２）第１の実施形態の動作
続いて、第１の実施形態のＩＰ−ＴＶ電話機における液晶表示装置のバックライトの輝度調整処理を、図面を参照しながら詳細に説明する。
【００２８】
第１の実施形態の輝度調整処理は、周囲環境の光量に応じて変化するカメラモジュール９の撮影能力情報に基づいて液晶表示手段５のバックライトの輝度を調整する。
【００２９】
例えば、カメラモジュール９としてＣＭＯＳカメラを適用する。ＣＭＯＳカメラ９は、被写体を撮影する際、撮影した画像データとその撮影に係る設定情報を常時出力する。また、ＣＭＯＳカメラ９が出力する画像データのフレームレートとしては、設定により、フレームレートを固定して用いてもよいし、また蓄積した光量に応じてフレームレートを変化させてもよい。
【００３０】
なお、第１の実施形態では、蓄積した光量に応じてフレームレートを変化させたＣＭＯＳカメラ９を用いることとし、ＣＭＯＳカメラ９は、被写体を撮影時の使用環境周囲の光量を計測し、その光量が十分に多い環境においてはフレームレートを上げて撮影能力を高めるが、光量が少ない環境においては１枚の画像を撮像するのに十分な光量がたまるまでフレームレートを下げて撮影する。
【００３１】
第１の実施形態では、このＣＭＯＳカメラ（カメラモジュール）９が出力する撮影設定情報であるフレームレートに基づいてバックライトの輝度を調整する。図４は、第１の実施形態の輝度調整処理のフローチャートである。
【００３２】
まず、ＣＭＯＳカメラ９が出力する画像データを取り込み、この画像データのフレームレートを計測する（Ｓ１０１）。
【００３３】
ＣＭＯＳカメラ９からの画像データのフレームレートを計測すると、輝度パターンテーブル３ｂを参照して、そのフレームレートに応じた輝度パターンを選択する（Ｓ１０２）。
【００３４】
ここで、図５は、輝度パターンテーブル３ｂの構成例を示す。図５に示す輝度パターンテーブル３ｂは画像データのフレームレートと輝度パターンとの対応付けにより構成されており、計測した画像データのフレームレートに基づいて対応する輝度パターンが選択される。
【００３５】
例えば、図５では、１０フレーム／ｓ以下のときＡパターン（すなわち、暗い環境用パターン）が選択され、１０フレーム／ｓより大きく２０フレーム／ｓ以下ではＢパターン（すなわち、標準パターン）が選択され、２０フレーム／ｓより大きく３０フレーム／ｓ以下ではＣパターン（すなわち、明るい環境用パターン）が選択され、…、６０フレーム／ｓより大きいときにはＧパターン（最も明るい環境用パターン）が選択される。なお、画像データのフレームレートに応じて選択する各輝度パターンは、予め設定されている。
【００３６】
輝度パターンが選択されると、その輝度パターンにおいて、選択されている輝度調整値（諧調値）に応じたバックライトの輝度とする輝度制御信号を出力する（Ｓ１０３）。これにより、この輝度制御信号がＤＳＣ６及びインバータ７を通じて液晶表示手段５のバックライトに与えられてバックライトの輝度が調整される。
【００３７】
図６は、図５に示す輝度パターンＡ，Ｂ，Ｃそれぞれの輝度調整値（諧調値）に対するバックライトの輝度の関係を示す。
【００３８】
図６に示すように、輝度パターンＡは、輝度パターンＢよりも輝度調整値（諧調値）に対するバックライトの輝度が小さく設定されており、また輝度パターンＢは、輝度パターンＣよりも輝度調整値（諧調値）に対するバックライトの輝度が小さく設定されている。
【００３９】
そのため、例えば、ＣＭＯＳカメラ９の使用環境の変化によりＣＭＯＳカメラ９に入射する光量が多くなり、ＣＭＯＳカメラ９からの画像データのフレームレートが１０フレーム／ｓから２０フレーム／ｓに上がると、選択する輝度パターンは輝度パターンＡから輝度パターンＢに切り替えられる。そうすると、同じ輝度調整値（諧調値）としていても、輝度パターンＢへの選択に切り替えられることで、バックライトの輝度は高くなり、液晶表示画面の輝度も高くなる。また、輝度調整値（諧調値）を変更するときも輝度パターンＢに従ってバックライトの輝度が決まる。その結果、使用環境が明るくなっても液晶表示画面が見やすい状態となる。
【００４０】
また逆に、ＣＭＯＳカメラ９の使用環境の変化によりＣＭＯＳカメラ９に入射する光量が少なくなり、ＣＭＯＳカメラ９からの画像データのフレームレートが３０フレーム／ｓから２０フレーム／ｓに下がると、選択する輝度パターンは輝度パターンＣから輝度パターンＢに切り替えられる。そうすると、同じ輝度調整値（諧調値）としていても、輝度パターンＢへの選択に切り替えられることで、バックライトの輝度は低くなり、液晶表示画面の輝度も低くなる。また、輝度調整値（諧調値）を変更するときも輝度パターンＢに従ってバックライトの輝度が決まる。その結果、使用環境が暗くなっても液晶表示画面が見やすい状態となる。
【００４１】
（Ａ−３）第１の実施形態の効果
以上のように、第１の実施形態によれば、カメラモジュールの撮影機能情報に基づいて、液晶表示手段のバックライトの輝度を設定する輝度パターンを選択し、その輝度パターンにより液晶表示手段の輝度を調整することにより、使用環境に応じたバックライトの細かい輝度の調整をすることができる。その結果。液晶表示画面の視認性を高めることができる。
【００４２】
（Ｂ）他の実施形態
（Ｂ−１）カメラモジュールについて
第１の実施形態では、カメラモジュールとして、ＣＭＯＳカメラを適用した場合を示したがＣＣＤカメラも適用可能である。
【００４３】
ＣＣＤカメラを構成するＣＣＤ映像素子は、人間の目に比べてダイナミックレンジが狭いので、露光時間等を制御して入力される光量を調整しないと、白飛びや黒潰れの状態が起こり得る。そのため、被写体が明るい場合には露光時間を短くし、暗い場合には露光時間を長くし、最適な輝度レベルを得る制御（これをオートアイリスと呼ぶ）をしている。
【００４４】
ここで、このオートアイリスは、カメラから入力される情報を一定時間毎（レジスタで設定）に取得し、それを元にした計算値の変化により、露光時間、アナログゲイン、デジタルゲインを変更し、屋外から室内暗部まで撮像している。なお、上記計算値は、デバイス内蔵レジスタで読み取り可能であるため、カメラモジュールとしてＣＣＤカメラを適用する場合、上記計算値を読み取り、この計算値に基づいて液晶表示手段のバックライトの輝度調整をすることができる。
【００４５】
つまり、この場合、オートアイリスによる計算値と輝度パターンとの対応テーブルを設定しておき、その計算値に基づいて輝度パターンを選択することで、第１の実施形態と同様の効果を得ることができる。
【００４６】
（Ｂ−２）その他
第１の実施形態では、カメラモジュールは、ＩＰ−ＴＶ電話機に搭載されているものとして説明したが、接続可能であれば、内蔵されておらず外付けのカメラモジュールを適用することができる。
【００４７】
第１の実施形態では、カメラモジュールからの撮影設定情報として、画像データのフレームレートとしたが、これ以外に、カメラモジュールが撮影の際に、周囲光量に応じて変化させる設定情報であれば光量情報、輝度情報などを適用することができる。この場合、例えば、ＣＭＯＳカメラのフレームレートを固定とした場合、あらかじめＣＭＯＳカメラからの光量情報に対して選択する輝度パターンを固定するフレームレート毎に設定しておく。そして、ＣＭＯＳカメラからの光量情報に応じて輝度パターンを決定することで、実現することができる。
【００４８】
また、カメラモジュールからの撮影設定情報として、上記のようにＣＣＤカメラを用いた場合には、露光時間等を適用できる。
【図面の簡単な説明】
【００４９】
【図１】第１の実施形態のＩＰ−ＴＶ電話機の内部構成を示す構成図である。
【図２】従来のＩＰ−ＴＶ電話機の液晶表示装置についての使用環境の明るさに対して液晶表示画面が見やすいとされるバックライトの輝度の範囲との関係を示す説明図である。
【図３】従来のＩＰ−ＴＶ電話機の液晶表示装置の輝度調整値（諧調値）に対するバックライトの輝度の設定値の関係を示す説明図である。
【図４】第１の実施形態の輝度調整処理のフローチャートである。
【図５】第１の実施形態の輝度パターンテーブルの構成例を示す図である。
【図６】第１の実施形態のＩＰ−ＴＶ電話機の液晶表示装置の輝度調整値（諧調値）に対するバックライトの輝度の設定値の関係を示す説明図である。
【符号の説明】
【００５０】
１…ＣＰＵ、２…ワークメモリ、３…ＲＯＭ等、４…液晶表示制御手段、５…液晶表示手段、６…ＤＡＣ（デジタル−アナログ制御手段）、７…インバータ、８…カメラ制御手段、９…カメラモジュール。
【図１】
2008026720.tif 000003
【図２】
2008026720.tif 000004
【図３】
2008026720.tif 000005
【図４】
2008026720.tif 000006
【図５】
2008026720.tif 000007
【図６】
2008026720.tif 000008